【手続補正書】
【提出日】平成28年12月6日(2016.12.6)
【手続補正１】
【補正対象書類名】特許請求の範囲
【補正対象項目名】全文
【補正方法】変更
【補正の内容】
【特許請求の範囲】
【請求項１】
（ａ）ＨＦＯ−１２３４ｙｆまたはＨＦＯ−１２３４ｚｅから選ばれる少なくとも１つのテトラフルオロプロペン（ＨＦＯ−１２３４）；
（ｂ）ＣＦ３Ｉ；および
（ｃ）少なくとも１つのジエンまたはジエンベース安定剤；
を含み、１０００以下の地球温暖化係数（ＧＷＰ）を有する組成物の、熱伝達組成物としての使用。
【請求項２】
該少なくとも１つのテトラフルオロプロペンがＨＦＯ−１２３４ｙｆである、請求項１記載の使用。
【請求項３】
ＨＦＯ−１２３４ｙｆおよびＣＦ３Ｉの合計重量ベースの５重量％から９９重量％のＨＦＯ−１２３４ｙｆを含む、請求項２記載の使用。
【請求項４】
ＨＦＯ−１２３４ｙｆおよびＣＦ３Ｉの合計重量ベースの５０重量％から９５重量％のＨＦＯ−１２３４ｙｆを含む、請求項２記載の使用。
【請求項５】
ＨＦＯ−１２３４ｙｆおよびＣＦ３Ｉの合計重量ベースの６５重量％から７５重量％のＨＦＯ−１２３４ｙｆを含む、請求項２記載の使用。
【請求項６】
該少なくとも１つのテトラフルオロプロペンがＨＦＯ−１２３４ｚｅである、請求項１記載の使用。
【請求項７】
該少なくとも１つのテトラフルオロプロペンがシスＨＦＯ−１２３４ｚｅまたはトランスＨＦＯ−１２３４ｚｅである、請求項１記載の使用。
【請求項８】
該少なくとも１つのテトラフルオロプロペンがトランスＨＦＯ−１２３４ｚｅである、請求項１記載の使用。
【請求項９】
前記組成物が８５重量％以下のＨＦＯ−１２３４ｚｅを含む請求項６記載の使用。
【請求項１０】
少なくとも１つのジエンまたはジエンベース安定剤が、アリルエーテル、プロパジエン、ブタジエン、イソプレン−ベース化合物ならびに２以上のこれらの組み合わせからなる群から選択される、請求項１〜９のいずれかに記載の使用。
【請求項１１】
少なくとも１つのジエンまたはジエンベース安定剤が、テルペンまたはテルペン誘導体から選ばれるイソプレン−ベース化合物である、請求項１に記載の使用。
【請求項１２】
少なくとも１つのジエンまたはジエンベース安定剤が、プロパジエンを含む、請求項１に記載の使用。
【請求項１３】
少なくとも１つのジエンまたはジエンベース安定剤が、少なくとも１つのイソプレン−ベース化合物を含む、請求項１に記載の使用。
【請求項１４】
少なくとも１つのジエンまたはジエンベース安定剤が、少なくとも１つのテルペンまたはテルペン誘導体を含む、請求項１２に記載の使用。
【請求項１５】
前記少なくとも１つのテルペンまたはテルペン誘導体が、イソプレン、テレベン、ミルセン、リモネン、レチナール、ピネン、メントール、ゲラニオール、ファルネソール、フィトール、ビタミンＡ１、テルピネン、δ−３カレン、テルピノレン、フェランドレン、フェンチェンおよびそれらの全異性体およびそれらの配合物から選ばれるイソプレン、テルペンまたはテルペン誘導体から選ばれる、請求項１４記載の使用。
【請求項１６】
前記少なくとも１つのテルペンまたはテルペン誘導体が、イソプレン、ミルセン、ファルネソール、及びゲラニオールから選ばれる、請求項１４記載の使用。
【請求項１７】
前記テルペンがミルセンである、請求項１４記載の使用。
【請求項１８】
前記テルペン誘導体がファルネソールである、請求項１４記載の使用。
【請求項１９】
前記テルペン誘導体がゲラニオールである、請求項１４記載の使用。
【請求項２０】
前記少なくとも１つのジエンまたはジエンベース安定剤が組成物の合計重量ベースの０．０００１から３０重量％の量で組成物中に存在する、請求項１〜１９のいずれかに記載の使用。
【請求項２１】
前記少なくとも１つのジエンまたはジエンベース安定剤が組成物の合計重量ベースの０．００１から１５重量％の量で組成物中に存在する、請求項２０に記載の使用。
【請求項２２】
前記少なくとも１つのジエンまたはジエンベース安定剤が組成物の合計重量ベースの０．０１から１０重量％の量で組成物中に存在する、請求項２１に記載の使用。
【請求項２３】
前記少なくとも１つのジエンまたはジエンベース安定剤が組成物の合計重量ベースの０．３から５重量％の量で組成物中に存在する、請求項２２に記載の使用。
【請求項２４】
前記少なくとも１つのジエンまたはジエンベース安定剤が組成物の合計重量ベースの１から２重量％の量で組成物中に存在する、請求項２３に記載の使用。
【請求項２５】
前記ＣＦ３Ｉが組成物の合計重量ベースの１５から５０重量％の量で組成物中に存在する、請求項１〜２４のいずれかに記載の使用。
【請求項２６】
前記ＣＦ３Ｉが組成物の合計重量ベースの２０から４０重量％の量で組成物中に存在する、請求項２５に記載の使用。
【請求項２７】
前記ＣＦ３Ｉが組成物の合計重量ベースの２５から３５重量％の量で組成物中に存在する、請求項２６に記載の使用。
【請求項２８】
前記組成物がジフルオロメタン（ＨＦＣ−３２）、ペンタフルオロエタン（ＨＦＣ−１２５）、１，１，２，２−テトラフルオロエタン（ＨＦＣ−１３４）、１，１，１，２−テトラフルオロエタン（ＨＦＣ−１３４ａ）、ジフルオロエタン（ＨＦＣ−１５２ａ）、１，１，１，２，３，３，３−ヘプタフルオロプロパン（ＨＦＣ−２２７ｅａ）、１，１，１，３，３，３−ヘキサフルオロプロパン（ＨＦＣ−２３６ｆａ）、１，１，１，３，３−ペンタフルオロプロパン（ＨＦＣ−２４５ｆａ）、１，１，１，３，３−ペンタフルオロブタン（ＨＦＣ−３６５ｍｆｃ）、水、およびＣＯ２からなる群より選択された１以上の共冷媒をさらに含む、請求項１〜２７のいずれかに記載の使用。
【請求項２９】
前記組成物が５００以下の地球温暖化係数（ＧＷＰ）を有する、請求項１〜２８のいずれかに記載の使用。
【請求項３０】
前記組成物が１５０以下の地球温暖化係数（ＧＷＰ）を有する、請求項２９に記載の使用。
【請求項３１】
前記組成物が７５以下の地球温暖化係数（ＧＷＰ）を有する、請求項３０に記載の使用。
【請求項３２】
前記組成物が０．０５以下のオゾン層破壊係数（ＯＤＰ）を有する、請求項１〜３１のいずれかに記載の使用。
【請求項３３】
前記組成物が０．０２以下のオゾン層破壊係数（ＯＤＰ）を有する、請求項３２に記載の使用。
【請求項３４】
前記組成物が少なくとも１つの潤滑剤をさらに含む、請求項１に記載の使用。
【請求項３５】
前記潤滑剤が鉱油、ポリオールエステル油、ポリアルキレングリコール、ポリビニルエーテル、アルキルベンゼン、ポリαオレフィン、およびこれらの２以上の組み合わせからなる群より選択される、請求項３４に記載の使用。
【請求項３６】
前記潤滑剤が鉱油、ポリオールエステル油、ポリアルキレングリコール、およびアルキルベンゼンからなる群より選択される、請求項３４に記載の使用。
【請求項３７】
前記鉱油がナフテン鉱油またはパラフィン鉱油である、請求項３５または３６に記載の使用。
【請求項３８】
（ａ）トランスＨＦＯ−１２３４ｚｅを含む少なくとも１つのフルオロアルケン；
（ｂ）ＣＦ３Ｉから本質的になる少なくとも１つのヨードカーボン；および
（ｃ）少なくとも１つのジエンまたはジエンベース安定剤；
を含み、
５００以下の地球温暖化係数（ＧＷＰ）を有し、０．０５以下のオゾン層破壊係数（ＯＤＰ）を有し、
前記少なくとも１つのフルオロアルケンが前記少なくとも１つのフルオロアルケンおよび前記少なくとも１つのヨードカーボンの合計重量ベースの５０重量％から９０重量％の量で存在し、
前記ＣＦ３Ｉが前記少なくとも１つのフルオロアルケンおよび前記少なくとも１つのヨードカーボンの合計重量ベースの１０から５０重量％の量で組成物中に存在し、
前記少なくとも１つのジエンまたはジエンベース安定剤が組成物の合計重量ベースの０．０１から１０．０重量％の量で組成物中に存在する組成物の、熱伝達組成物としての使用。
【請求項３９】
（ａ）トランスＨＦＯ−１２３４ｙｆを含む少なくとも１つのフルオロアルケン；
（ｂ）ＣＦ３Ｉから本質的になる少なくとも１つのヨードカーボン；および
（ｃ）少なくとも１つのジエンまたはジエンベース安定剤；
を含み、
５００以下の地球温暖化係数（ＧＷＰ）を有し、０．０５以下のオゾン層破壊係数（ＯＤＰ）を有し、
前記少なくとも１つのフルオロアルケンが前記ＨＦＯ−１２３４ｙｆおよび前記ＣＦ３Ｉの合計重量ベースの５０重量％から９５重量％のＨＦＯ−１２３４ｙｆを含み、
前記少なくとも１つのジエンまたはジエンベース安定剤が組成物の合計重量ベースの０．０１から１０．０重量％の量で組成物中に存在する組成物の、熱伝達組成物としての使用。
【請求項４０】
前記熱伝達組成物が冷凍システムにおいて使用される、請求項１〜３９のいずれかに記載の使用。
【請求項４１】
前記システムが自動車用空調システムおよび装置、市販の冷凍システムおよび装置、チラー、住宅用冷凍冷蔵庫、一般の空調システム、ヒートポンプ、ＯＲＣ、ＣＲＣおよびこれらの２以上の組み合わせからなる群から選ばれる、請求項４０に記載の使用。
【請求項４２】
前記システムが自動車用空調システムおよび装置、市販の冷凍システムおよび装置、および一般の空調システムからなる群から選ばれる、請求項４０に記載の使用。